(57)【要約】【課題】テーブルの位置ずれを抑止し、設置安定性の高い家具用サイドテーブルを提供すること。【解決手段】家具用サイドテーブル１０は、第一板部材１１と、これと互いに平行に配設されている第二板部材１２と、第一板部材１１と第二板部材１２とを段状に連結する第一連結板部材１３と、第一板部材１１と第一連結板部材１３との連結部分Ｃに沿う一方側にて、第一板部材１１と第一連結板部材１３とを連結する第二連結板部材１４と、を備え、第一板部材１１を家具Ｂ１の基台２０と敷物３０との間に配置したとき、第一連結板部材１３と第二連結板部材１４とを敷物３０の側面に接触せしめる。【選択図】図１
2018057731.tif 000002
【特許請求の範囲】
【請求項１】
人を支持する支持面と前記支持面の下に設けられ弾力を有するとともに複数の側面を有する層とを有する敷物と、前記敷物を支持する上面を有する基台と、を備えた家具の側面に配置される家具用サイドテーブルであって、
前記家具用サイドテーブルは、
板状に形成された第一板部材と、
板状に形成され、前記第一板部材と互いに平行に配設されている第二板部材と、
板状に形成され、前記第一板部材と前記第二板部材とが段状になるように連結する第一連結板部材と、
板状に形成され、前記第一板部材と前記第一連結板部材との連結部分に沿った第一方向のうち一方側にて、前記第一板部材と前記第一連結板部材とを連結する第二連結板部材と、
を備えており、
前記第一連結板部材は、前記第一板部材が前記基台と前記敷物との間に配置されたとき、前記敷物の前記複数の側面のうち一の側面に接触する第一接触面と、前記第二板部材が前記基台と前記敷物との間に配置されたとき、前記敷物の前記複数の側面のうち一の側面に接触する第二接触面と、を有し、
前記第二連結板部材は、前記第一板部材が前記基台と前記敷物との間に配置されたとき、前記敷物の前記一の側面に隣接する他の側面に接触する第三接触面を有する家具用サイドテーブル。
【請求項２】
前記家具用サイドテーブルは、
板状に形成され、前記第一方向のうち前記一方側の反対側である他方側にて、前記第二板部材と前記第一連結板部材とを連結する第三連結板部材を、さらに備え、
前記第三連結板部材は、前記第二板部材が前記基台と前記敷物との間に配置されたとき、前記敷物の前記一の側面に隣接する他の側面に接触する第四接触面を有する請求項１記載の家具用サイドテーブル。
【請求項３】
前記家具は、前記敷物の前記他の側面に対向する対向壁面を備え、
前記第二連結板部材は、前記第一板部材が前記基台と前記敷物との間に配置されたとき、前記敷物の前記他の側面と前記対向壁面とに挟持される請求項１記載の家具用サイドテーブル。
【請求項４】
前記家具は、前記敷物の前記他の側面に対向する対向壁面を備え、
前記第二連結板部材は、前記第一板部材が前記基台と前記敷物との間に配置されたとき、前記敷物の前記他の側面と前記対向壁面とに挟持され、
前記第三連結板部材は、前記第二板部材が前記基台と前記敷物との間に配置されたとき、前記敷物の前記他の側面と前記対向壁面とに挟持される請求項２記載の家具用サイドテーブル。
【請求項５】
前記第一連結板部材は、前記第一板部材および／または前記第二板部材に対して相対的に回動可能に連結され、
前記第二連結板部材は、前記第一板部材または前記第一連結板部材に対して相対的に回動可能に連結されている請求項１または請求項３記載の家具用サイドテーブル。
【請求項６】
前記第一連結板部材は、前記第一板部材および／または前記第二板部材に対して相対的に回動可能に連結され、
前記第二連結板部材は、前記第一板部材または前記第一連結板部材に対して相対的に回動可能に連結され、
前記第三連結板部材は、前記第二板部材または前記第一連結板部材に対して相対的に回動可能に連結されている請求項２または請求項４記載の家具用サイドテーブル。
【発明の詳細な説明】
【技術分野】
【０００１】
本発明は、家具用サイドテーブルに関する。
【背景技術】
【０００２】
家具用サイドテーブルの一形態として、ベッドサイドテーブルがある。従来のベッドサイドテーブルとして、特許文献１に、基板と、基板に立設された支持柱と、支持柱の上端部に設けられ、基板とは相反する方向に向けられたテーブル板と、を備えた構成が記載されている。そして、特許文献１のベッドサイドテーブルは、基板を、ベッドの基台の床板とマットレスとの間に挟み込み挿入させることで、マットレスに隣接する空きスペースに着脱可能に配置する構成である。また、特許文献１のベッドサイドテーブルは、ベッドの基台の床板とマットレスとの間に挟み込み挿入された基板の位置合わせ調整を行い、テーブル板を、ベッドのヘッドボードに当接させて、テーブル板への不用意な接触があっても、配置位置がずれるのを防ぐ対策がとられている。
【先行技術文献】
【特許文献】
【０００３】
【特許文献１】２０１５−２０４８９３号公報
【発明の概要】
【発明が解決しようとする課題】
【０００４】
しかしながら、特許文献１のベッドサイドテーブルでは、基板をベッドの基台の床板とマットレスとの間に挟み込み挿入せしめ、テーブル板をヘッドボードに当接させただけであるので、ベッドサイドテーブルの位置ずれを防ぎ、ベッドサイドテーブルの安定性を確保するには不十分である。例えば、テーブル板を当接させたヘッドボード側から、当接方向とは反対方向の力がテーブル板に水平方向に作用した場合に、テーブル板が容易に回転して位置ずれが起こるおそれがある。
そこで、本発明は、家具用サイドテーブルへの不用意な接触などによるテーブルの位置ずれを抑止することができ、配置された状態の安定性の高い家具用サイドテーブルを提供することを課題としてなされたものである。
【課題を解決するための手段】
【０００５】
上述の課題を解決するため、請求項１に係る発明は、
人を支持する支持面と前記支持面の下に設けられ弾力を有するとともに複数の側面を有する層とを有する敷物と、前記敷物を支持する上面を有する基台と、を備えた家具の側面に配置される家具用サイドテーブルであって、
前記家具用サイドテーブルは、
板状に形成された第一板部材と、
板状に形成され、前記第一板部材と互いに平行に配設されている第二板部材と、
板状に形成され、前記第一板部材と前記第二板部材とが段状になるように連結する第一連結板部材と、
板状に形成され、前記第一板部材と前記第一連結板部材との連結部分に沿った第一方向のうち一方側にて、前記第一板部材と前記第一連結板部材とを連結する第二連結板部材と、
を備えており、
前記第一連結板部材は、前記第一板部材が前記基台と前記敷物との間に配置されたとき、前記敷物の前記複数の側面のうち一の側面に接触する第一接触面と、前記第二板部材が前記基台と前記敷物との間に配置されたとき、前記敷物の前記複数の側面のうち一の側面に接触する第二接触面と、を有し、
前記第二連結板部材は、前記第一板部材が前記基台と前記敷物との間に配置されたとき、前記敷物の前記一の側面に隣接する他の側面に接触する第三接触面を有する。
【発明の効果】
【０００６】
これによれば、家具用サイドテーブルは、第一板部材が基台と敷物との間に挿入されたとき、第一連結板部材の第一接触面が敷物の複数の側面のうち一の側面に接触するとともに、第二連結板部材の第三接触面が敷物の一の側面に隣接する他の側面に接触する。このとき、家具用サイドテーブルは、第一板部材、第一連結板部材および第二連結板部材によって、敷物に対して位置決め固定することができる。よって、家具用サイドテーブルが容易に位置ずれするのを抑制し、設置安定性を高めることができる。また、家具用サイドテーブルは、第二板部材が基台と敷物との間に挿入され、第一連結板部材の第二接触面が敷物の複数の側面のうち一の側面に接触した状態で、家具の側面に配置することができる。
【図面の簡単な説明】
【０００７】
【図１】本発明による家具用サイドテーブルの第一実施形態における第一テーブル配置状態を示す斜視図である。
【図２】図１に示す家具用サイドテーブルの第一テーブル配置状態を示す平面図である。
【図３】図１に示す家具用サイドテーブルの後面図である。
【図４】図１に示す家具用サイドテーブルの側面図である。
【図５】図１に示す家具用サイドテーブルの第二テーブル配置状態を示す斜視図である。
【図６】本発明による家具用サイドテーブルの第二実施形態を示すもので、家具用サイドテーブルを平坦に展開した状態の平面図である。
【図７】図６に示す家具用サイドテーブルを使用する状態に組み立てた状態の斜視図である。
【図８】図７に示す家具用サイドテーブルの平面図である。
【図９】図７のＩＸ−ＩＸ線に沿う位置での断面図である。
【発明を実施するための形態】
【０００８】
〈第一実施形態〉
図１乃至図５に基づいて本発明による家具用サイドテーブルの第一実施形態を説明する。本発明の家具用サイドテーブルが適用される家具は、人を支持する支持面と前記支持面の下に設けられ弾力を有するとともに複数の側面を有する層とを有する敷物と、前記敷物を支持する上面を有する基台と、を備えたものである。尚、本実施形態では、家具用サイドテーブルをベッドに配置する実施形態を中心に説明する。従って、図１に示すように、家具は、ベッドＢ１である。敷物は、ベッドＢ１のマットレス３０である。
【０００９】
ベッドＢ１は、基台２０と、マットレス３０とを備えている。基台２０は、マットレス３０を支持する上面２２を有する。基台２０は、例えば、木製の板材からなる長方形の箱型に形成されている。基台２０の上面２２は、木製の板材で構成され、基台２０の内周に設けられた桟２１により支えられている。
【００１０】
マットレス３０は、人を支持する支持面３０１と、支持面３０１の下に設けられ弾力を有するとともに複数の側面３１，３２（図５）３３を有する。マットレス３０は、複数の側面のうちの一の側面３１を備えている。一の側面３１は、右側の第一側面３１である（以下、一の側面３１は第一側面３１ともいう）。また、マットレス３０は、複数の側面のうちの一の側面３２（図５）を備えている。一の側面３２は、左側の第二側面３２である（以下、一の側面３２は第二側面３２ともいう）。さらに、マットレス３０は、第一側面３１、第二側面３２（図５）に隣接する他の側面３３を備えている。他の側面３３は前面の第三側面３３である（以下、他の側面３３は第三側面３３ともいう）。
【００１１】
ベッドＢ１は、マットレス３０の第三側面３３に対向する対向壁面４０を備えている。対向壁面４０は、ヘッドボード４０である（以下、対向壁面４０はヘッドボード４０ともいう）。ヘッドボード４０は、例えば、縦壁状の木板材で構成されている。ヘッドボード４０は、マットレス３０の第三側面３３と僅少の間隙（例えば、５ｍｍ乃至１０ｍｍ）をおいて対向するように設けられている。
【００１２】
図１乃至図３に示すように、家具用サイドテーブル１０（以下、単にテーブル１０ともいう）は、第一板部材１１、第二板部材１２、第一連結板部材１３、第二連結板部材１４および第三連結板部材１５を備えている。例えば、第一板部材１１は、長方形の板状に形成されている。第二板部材１２は、長方形の板状に形成されている。第一連結板部材１３は、長方形の板状に形成されている。第二連結板部材１４は、直角三角形の板状に形成されている。第三連結板部材１５は、直角三角形の板状に形成されている。
【００１３】
第一板部材１１、第二板部材１２、第一連結板部材１３、第二連結板部材１４および第三連結板部材１５は、例えば、周知のメラミン樹脂化粧合板などにより形成されている。尚、第一板部材１１、第二板部材１２、第一連結板部材１３、第二連結板部材１４および第三連結板部材１５は、板厚が２０ｍｍ程度である。
テーブル１０は、このように形成された第一板部材１１、第二板部材１２、第一連結板部材１３、第二連結板部材１４および第三連結板部材１５が一体に組み付けられている。
【００１４】
以下、便宜的に、図１に矢印で示す前後方向および左右方向に沿って、テーブル１０の形状を説明する。
第一板部材１１は、テーブル１０の左右幅方向の何れか一方の片側半部に設けられている。図例では、左側半部に設けられている。第一板部材１１は、テーブル１０の前後方向に沿って長い長方形に設けられ、且つ、水平に設けられている。
第二板部材１２は、テーブル１０の左右幅方向の他方の片側半部に設けられている。図例では、右側半部に設けられている。第二板部材１２は、第一板部材１１と同一形状に形成されている。第二板部材１２は、第一板部材１１と互いに平行に配設されている。
第一連結板部材１３は、縦方向に設けられ、第一板部材１１と第二板部材１２とが段状になるように連結する構成である。第一連結板部材１３は、テーブル１０の前後方向に沿って長い長方形に形成されている。第一連結板部材１３の高さ寸法は、マットレス３０の厚みとほぼ同一寸法を有する。第一連結板部材１３の前後長は、第一板部材１１および第二板部材１２の前後長と同一である。
【００１５】
第一板部材１１は、左右幅方向の右端に、第一板部材１１の第一端縁１１１を有する。一方、第一連結板部材１３は、第一板部材１１の第一端縁１１１に対向する第一連結板部材１３の下縁に、第一連結板部材１３の第一端縁１３１を有する。第一板部材１１の第一端縁１１１と第一連結板部材１３の第一端縁１３１とは、互いに直角に交わるように連結されている。
【００１６】
第二板部材１２は、左右幅方向の左側に、第二板部材１２の第一端縁１２１を有する。一方、第一連結板部材１３は、第二板部材１２の第一端縁１２１に対向する第一連結板部材１３の上縁に、第一連結板部材１３の第二端縁１３２を有する。第二板部材１２の第一端縁１２１と第一連結板部材１３の第二端縁１３２とは、互いに直角に交わるように連結されている。
このように、第一板部材１１、第二板部材１２、および第一連結板部材１３は、左右幅方向に沿って側面視Ｚ字状に連結されている。
【００１７】
第一板部材１１の第一端縁１１１と第一連結板部材１３の第一端縁１３１との連結部分Ｃに沿った第一方向のうち一方側には、第二連結板部材１４が設けられている。第一方向は、テーブル１０の前後方向である。第一方向のうち一方側は、テーブル１０の前側である。第二連結板部材１４は、縦方向に設けられ、第一板部材１１と第一連結板部材１３とを連結する構成である。
【００１８】
第二連結板部材１４は、下縁に、第二連結板部材１４の第一端縁１４１を有する。一方、第一板部材１１は、第二連結板部材１４の第一端縁１４１に対向する第一板部材１１の前縁に、第一板部材１１の第二端縁１１２を有する。第二連結板部材１４の第一端縁１４１と第一板部材１１の第二端縁１１２とは、互いに直角に交わるように連結されている。
【００１９】
第二連結板部材１４は、縦方向に延びる第二連結板部材１４の第二端縁１４２を有する。一方、第一連結板部材１３は、第二連結板部材１４の第二端縁１４２に対向する第一連結板部材１３の前縁に、第一連結板部材１３の第三端縁１３３を有する。第二連結板部材１４の第二端縁１４２と第一連結板部材１３の第三端縁１３３とは、互いに直角に交わるように連結されている。
【００２０】
第一板部材１１の第一端縁１１１と第一連結板部材１３の第一端縁１３１との連結部分Ｃに沿った第一方向のうち一方側の反対側である他方側には、第三連結板部材１５が設けられている。第一方向のうち一方側の反対側である他方側は、テーブル１０の後側である。第三連結板部材１５は、縦方向に設けられ、第二板部材１２と第一連結板部材１３とを連結する構成である。
【００２１】
第三連結板部材１５は、上縁に、第三連結板部材１５の第一端縁１５１を有する。一方、第二板部材１２は、第三連結板部材１５の第一端縁１５１に対向する第二板部材１２の後縁に、第二板部材１２の第二端縁１２２を有する。第三連結板部材１５の第一端縁１５１と第二板部材１２の第二端縁１２２とは、互いに直角に交わるように連結されている。
【００２２】
第三連結板部材１５は、縦方向に延びる第三連結板部材１５の第二端縁１５２を有する。一方、第一連結板部材１３は、第三連結板部材１５の第二端縁１５２に対向する第一連結板部材１３の後縁に、第一連結板部材１３の第四端縁１３４を有する。第三連結板部材１５の第二端縁１５２と第一連結板部材１３の第四端縁１３４とは、互いに直角に交わるように連結されている。
【００２３】
次に、図１、図２および図５に基づいて、テーブル１０をベッドＢ１に配置した状態を説明する。図１、図２に示すように、テーブル１０は、マットレス３０の前部右側の角部において、第一板部材１１を、マットレス３０と基台２０の上面２２との間隙に挿入せしめるとともに、第二連結板部材１４を、マットレス３０の第三側面３３とヘッドボード４０との間隙に挿入せしめる。この時、第一連結板部材１３は、マットレス３０の第一側面３１と接触する第一接触面１３５を有する。第一接触面１３５は、第一連結板部材１３の一方の板面である。
また、第一板部材１１をマットレス３０と基台２０の上面２２との間隙に挿入せしめるとともに、第二連結板部材１４をマットレス３０の第三側面３３とヘッドボード４０との間隙に挿入せしめた状態において、第二連結板部材１４は、マットレス３０の第三側面３３と接触する第三接触面１４３を有する。第三接触面１４３は、第二連結板部材１４の一方の板面である。
【００２４】
このように、テーブル１０は、第一板部材１１がマットレス３０と基台２０との間に配置され、第二連結板部材１４がマットレス３０の第三側面３３とヘッドボード４０とで挟持された状態において、第一連結板部材１３の第一接触面１３５を、マットレスの第一側面３１に接触せしめ、かつ、第二連結板部材１４の第三接触面１４３を、マットレス３０の第三側面３３に接触せしめる。そして、テーブル１０は、第二板部材１２を、マットレス３０の右外側位置でマットレス３０より外側へ張出すように設けた第一テーブル配置状態に配置可能である。尚、第一連結板部材１３は、高さがマットレス３０の厚みと同じなので、第二板部材１２は、マットレス３０の支持面３０１と同一の高さに配置される。
【００２５】
さらに、テーブル１０は、図５に示すように、上下左右に反転させた状態で、マットレス３０の左側に配置可能である。この場合、テーブル１０は、マットレス３０の前部左側の角部において、第二板部材１２を、マットレス３０と基台２０の上面２２との間隙に挿入せしめるとともに、第三連結板部材１５を、マットレス３０の第三側面３３とヘッドボード４０との間隙に挿入せしめる。この時、第一連結板部材１３は、マットレス３０の第二側面３２と接触する第二接触面１３６を有する。第二接触面１３６は、第一接触面１３５とは反対側の第一連結板部材１３の他方の板面である。
また、第二板部材１２をマットレス３０と基台２０の上面２２との間隙に挿入せしめるとともに、第三連結板部材１５をマットレス３０の第三側面３３とヘッドボード４０との間隙に挿入せしめた状態において、第三連結板部材１５は、マットレス３０の第三側面３３と接触する第四接触面１５３を有する。第四接触面１５３は、第三連結板部材１５の一方の板面である。
【００２６】
このように、テーブル１０は、第二板部材１２がマットレス３０と基台２０との間に配置され、第三連結板部材１５がマットレス３０の第三側面３３とヘッドボード４０とで挟持された状態において、第一連結板部材１３の第二接触面１３６を、マットレスの第二側面３２に接触せしめ、かつ、第三連結板部材１５の第四接触面１５３を、マットレス３０の第三側面３３に接触せしめる。そして、テーブル１０は、第一板部材１１を、マットレス３０の左外側位置でマットレス３０より外側へ張出すように設けた第二テーブル配置状態に配置可能である。尚、第一テーブル配置状態と同様に、第一板部材１１は、マットレス３０の支持面３０１と同一の高さに配置される。
【００２７】
〈第一実施形態の効果〉
第一実施形態から明らかなように、テーブル１０（図１）は、人を支持する支持面３０１（図１）と支持面３０１の下に設けられ弾力を有するとともに複数の側面３１，３２，３３（図１、図５）を有する層とを有するマットレス３０（図１）と、マットレス３０を支持する上面２２（図１）を有する基台２０（図１）と、を備えたベッドＢ１（図１）の側面に配置されるテーブルである。テーブル１０は、板状に形成された第一板部材１１（図１）と、板状に形成され、第一板部材１１と互いに平行に配設されている第二板部材１２（図１）と、板状に形成され、第一板部材１１と第二板部材１２とが段状になるように連結する第一連結板部材１３（図１）と、板状に形成され、第一板部材１１と第一連結板部材１３との連結部分Ｃ（図１）に沿った第一方向のうち一方側にて、第一板部材１１と第一連結板部材１３とを連結する第二連結板部材１４（図１）と、を備える。また、第一連結板部材１３は、第一板部材１１が基台２０とマットレス３０との間に配置されたとき、マットレス３０の複数の側面のうち一の側面３１に接触する第一接触面１３５（図１）と、第二板部材１２が基台２０とマットレス３０との間に配置されたとき、マットレス３０の複数の側面のうち一の側面３２に接触する第二接触面１３６（図５）と、を有する。さらに、第二連結板部材１４は、第一板部材１１が基台２０とマットレス３０との間に配置されたとき、マットレス３０の一の側面３１に隣接する他の側面３３に接触する第三接触面１４３（図１）を有する。
【００２８】
これによれば、テーブル１０は、第一板部材１１が基台２０とマットレス３０との間に挿入されたとき、第一連結板部材１３の第一接触面１３５がマットレス３０の複数の側面３１，３２，３３のうち一の側面３１に接触するとともに、第二連結板部材１４の第三接触面１４３がマットレス３０の一の側面３１に隣接する他の側面３３に接触する。このとき、テーブル１０は、第一板部材１１、第一連結板部材１３および第二連結板部材１４によって、マットレス３０に対して位置決め固定することができる。よって、テーブル１０が容易に位置ずれするのを抑制し、設置安定性を高めることができる。
【００２９】
第一実施形態のテーブル１０は、前記第一方向のうち前記一方側の反対側である他方側にて、板状に形成され、第二板部材１２と第一連結板部材１３とを連結する第三連結板部材１５（図１）を、さらに備える。第三連結板部材１５は、第二板部材１２が基台２０とマットレス３０との間に配置されたとき、マットレス３０の一の側面３２に隣接する他の側面３３に接触する第四接触面１５３（図５）を有する。
【００３０】
これによれば、テーブル１０は、第二板部材１２が基台２０とマットレス３０との間に挿入されたとき、第一連結板部材１３の第二接触面１３６がマットレス３０の複数の側面３１，３２，３３のうち一の側面３２に接触するとともに、第三連結板部材１５の第四接触面１５３がマットレス３０の一の側面３２に隣接する他の側面３３に接触する。このとき、テーブル１０は、第二板部材１２、第一連結板部材１３および第三連結板部材１５によって、マットレス３０に対して位置決め固定することができる。
【００３１】
また、第一実施形態では、ベッドＢ１（図１）は、マットレス３０（図１）の他の側面３３（図１、図５）に対向するヘッドボード４０（図１）を備えている。そして、ベッドＢ１においては、第二連結板部材１４（図１）は、第一板部材１１（図１）が基台２０（図１）とマットレス３０との間に配置されたとき（図１）、マットレス３０の他の側面３３（図１）とヘッドボード４０とに挟持される構成を有する。また、第三連結板部材（図１、図５）は、第二板部材（図１、図５）が基台２０とマットレス３０との間に配置されたとき（図５）、マットレス３０の他の側面３３（図５）と前記対向壁面とに挟持される構成を有する。
【００３２】
これによれば、テーブル１０は、第一板部材１１（図１）が基台２０（図１）とマットレス３０との間に配置されたとき（図１）、第二連結板部材１４（図１）が、マットレス３０の他の側面３３とヘッドボード４０とに挟持されるので、テーブル１０の位置ずれに対する抑制効果を高めることができ、より高い設置安定性を実現できる。さらにテーブル１０は、第二板部材１２（図５）が基台２０（図５）とマットレス３０（図５）との間に配置されたとき（図５）、第三連結板部材１５（図５）が、マットレス３０の他の側面３３とヘッドボード４０とに挟持されるので、テーブル１０の位置ずれに対する抑制効果を高めることができ、より高い設置安定性を実現できる。
【００３３】
尚、第一実施形態のテーブル１０は、マットレス３０の前部右側の角部に配置せしめた第一テーブル配置状態や、マットレス３０の前部左側の角部に配置せしめた第二テーブル配置状態に限らず、ヘッドボード４０の無い、マットレス３０の後部右側の角部に配置することも可能である。この場合、テーブル１０は、第二板部材１２をマットレス３０と基台２０との間に配置し、第一連結板部材１３の第二接触面１３６を、マットレスの第二側面３２に接触せしめ、かつ、第三連結板部材１５の第四接触面１５３を、マットレス３０の後部側面に接触せしめる。これによりテーブル１０は、第一板部材１１を、マットレス３０の右外側位置でマットレス３０より外側へ張出すように配置することができる。
【００３４】
また、テーブル１０は、マットレス３０の後部右側の角部において、第一板部材１１をマットレス３０と基台２０との間に配置し、第一連結板部材１３の第一接触面１３５を、マットレスの後部側面に接触せしめて配置することも可能である。これによりテーブル１０は、第二板部材１２を、マットレス３０の後方位置でマットレス３０より後方へ張出すように配置することができる。
【００３５】
さらに、テーブル１０は、マットレス３０の後部左側の角部において、第一板部材１１をマットレス３０と基台２０との間に配置し、第二板部材１２を、マットレス３０より左外側へ張出すように配置することができる。さらにまた、テーブル１０は、マットレス３０の後部左側の角部において、第二板部材１２をマットレス３０と基台２０との間に配置し、第一板部材１１を、マットレス３０より後方外側へ張出すように配置することができる。
【００３６】
これらのテーブル１０の配置例のように、テーブル１０は、配置する際に、必ずしも第二連結板部材１４又は第三連結板部材１５をマットレス３０とヘッドボード４０などの対向壁面とで挟持する必要はない。従って、ベッドＢ１以外に、人を支持する支持面と支持面の下に設けられ弾力を有するとともに複数の側面を有する層とを有する敷物と、敷物を支持する上面を有する基台と、を備えた家具に適用できる。例えば、家具として、椅子やソファなどに適用できる。
【００３７】
また、第一実施形態のテーブル１０は、例えば、ポリエチレン等の合成樹脂製で、第一板部材１１、第二板部材１２、第一連結板部材１３、第二連結板部材１４および第三連結板部材１５が一体成形されたものでもよい。
さらに、第一実施形態のテーブル１０は、第一板部材１１、第二板部材１２を、必ずしも長方形に形成しなくてもよく、正方形や、六角形などの多角形や、円形でもよい。
さらにまた、第一実施形態のテーブル１０は、必ずしも、第三連結板部材１５を設けなくてもよい。
【００３８】
〈第二実施形態〉
図６乃至図９に基づいて、本発明による家具用サイドテーブルの第二実施形態を説明する。本実施形態の家具用サイドテーブル（以下、単にテーブルともいう）１０Ａは、非使用状態での収納性を考慮して、図６に示すように、テーブル１０Ａは、使用可能状態と非使用状態とに変形可能で、図６に示す非使用状態において平坦な状態に展開可能に構成されたものである。尚、本実施形態のテーブル１０Ａの基本構成は、第一実施形態のそれとほぼ同じで、相違点を中心に説明する。図において、同一部材は、同一符号で表す。
【００３９】
図６示すように、第一連結板部材１３は、第一板部材１１に対して相対的に回動可能に連結されている。例えば、第一連結板部材１３は、第一板部材１１に対向する第一連結板部材１３の第一端縁１３１において、複数の凸部１３１ａと複数の凹部１３１ｂとが交互に形成されている。一方、第一板部材１１は、第一連結板部材１３の第一端縁１３１に対応する第一板部材１１の第一端縁１１１において、第一連結板部材１３の第一端縁１３１の凸部１３１ａに対応する複数の凹部１１１ｂと、凹部１３１ｂに対応する複数の凸部１１１ａとが交互に形成されている。
【００４０】
第一連結板部材１３の第一端縁１３１と第一板部材１１の第一端縁１１１とは、第一端縁１３１の複数の凸部１３１ａと第一端縁１１１の複数の凹部１１１ｂとを噛合させるとともに、第一端縁１３１の複数の凹部１３１ｂと第一端縁１１１の複数の凸部１１１ａとを噛合させる。そして、第一連結板部材１３の第一端縁１３１と第一板部材１１の第一端縁１１１とは、これらの長手方向に沿って、ピンＰ１を、複数の凸部１３１ａと複数の凸部１１１ａとに一連に貫通せしめて、回動可能に連結されている。
【００４１】
また、第一連結板部材１３は、第二板部材１２に対して相対的に回動可能に連結されている。例えば、第一連結板部材１３は、第二板部材１２に対向する第一連結板部材１３の第二端縁１３２において、複数の凸部１３２ａと複数の凹部１３２ｂとが交互に形成されている。一方、第二板部材１２は、第一連結板部材１３の第二端縁１３２に対応する第二板部材１２の第一端縁１２１において、第一連結板部材１３の第二端縁１３２の凸部１３２ａに対応する複数の凹部１２１ｂと、凹部１３２ｂに対応する複数の凸部１２１ａとが交互に形成されている。
【００４２】
第一連結板部材１３の第二端縁１３２と第二板部材１２の第一端縁１２１とは、第二端縁１３２の複数の凸部１３２ａと第一端縁１２１の複数の凹部１２１ｂとを噛合させるとともに、第二端縁１３２の複数の凹部１３２ｂと第一端縁１２１の複数の凸部１２１ａとを噛合させる。そして、第一連結板部材１３の第二端縁１３２と第二板部材１２の第一端縁１２１とは、これらの長手方向に沿って、ピンＰ２を、複数の凸部１３２ａと複数の凸部１２１ａとに一連に貫通せしめて、回動可能に連結されている。
【００４３】
第二連結板部材１４は、第一板部材１１に対して相対的に回動可能に連結されている。例えば、第二連結板部材１４は、第一板部材１１に対向する第二連結板部材１４の第一端縁１４１において、複数の凸部１４１ａと複数の凹部１４１ｂとが交互に形成されている。一方、第一板部材１１は、第二連結板部材１４の第一端縁１４１に対応する第一板部材１１の第二端縁１１２において、第二連結板部材１４の第一端縁１４１の凸部１４１ａに対応する複数の凹部１１２ｂと、凹部１４１ｂに対応する複数の凸部１１２ａとが交互に形成されている。
【００４４】
第二連結板部材１４の第一端縁１４１と第一板部材１１の第二端縁１１２とは、第一端縁１４１の複数の凸部１４１ａと第二端縁１１２の複数の凹部１１２ｂとを噛合させるとともに、第一端縁１４１の複数の凹部１４１ｂと第二端縁１１２の複数の凸部１１２ａとを噛合させる。そして、第二連結板部材１４の第一端縁１４１と第一板部材１１の第二端縁１１２とは、これらの長手方向に沿って、ピンＰ３を、複数の凸部１４１ａと複数の凸部１１２ａとに一連に貫通せしめて、回動可能に連結されている。
【００４５】
また、第三連結板部材１５は、第二板部材１２に対して相対的に回動可能に連結されている。例えば、第三連結板部材１５は、第二板部材１２に対向する第三連結板部材１５の第一端縁１５１において、複数の凸部１５１ａと複数の凹部１５１ｂとが交互に形成されている。一方、第二板部材１２は、第三連結板部材１５の第一端縁１５１に対応する第二板部材１２の第二端縁１２２において、第三連結板部材１５の第一端縁１５１の凸部１５２ａに対応する複数の凹部１２２ｂと、凹部１５２ｂに対応する複数の凸部１２２ａとが交互に形成されている。
【００４６】
第三連結板部材１５の第一端縁１５１と第二板部材１２の第二端縁１２２とは、第一端縁１５１の複数の凸部１５１ａと第二端縁１２２の複数の凹部１２２ｂとを噛合させるとともに、第一端縁１５１の複数の凹部１５１ｂと第二端縁１２２の複数の凸部１２２ａとを噛合させる。そして、第三連結板部材１５の第一端縁１５１と第二板部材１２の第二端縁１２２とは、これらの長手方向に沿って、ピンＰ４を、複数の凸部１５１ａと複数の凸部１２２ａとに一連に貫通せしめて、回動可能に連結されている。
【００４７】
第二連結板部材１４には、第二端縁１４２に、テーブル１０を使用可能状態としたときに、第二端縁１４２を、これと対向する第一連結板部材１３の第三端縁１３３に係脱可能に係合せしめる。第一係合部材１６ａが設けられている。
一方、第三連結板部材１５には、第二端縁１５２に、テーブル１０を使用可能状態としたときに、第二端縁１５２を、これと対向する第一連結板部材１３の第四端縁１３４に係脱可能に係合せしめる。第二係合部材１６ｂが設けられている。
【００４８】
テーブル１０Ａは、図６に示す非使用状態から使用可能状態に変形するには、第一板部材１１、第一連結板部材１３、および第二板部材１２が側面視Ｚ字状となるように変形させる。この場合、第一板部材１１の第一端縁１１１と第一連結板部材１３の第一端縁１３１との連結部が直角に屈曲されるとともに、第二板部材１２の第一端縁１２１と第一連結板部材１３の第二端縁１３２との連結部が直角に屈曲される。
【００４９】
そして、テーブル１０Ａは、第一板部材１１、第一連結板部材１３、および第二板部材１２とからなる側面視Ｚ字状を保持するために、第二連結板部材１４により第一板部材１１と第一連結板部材１３とを連結する。この場合、テーブル１０Ａは、第一板部材１１の第二端縁１１２と第二連結板部材１４の第一端縁１４１との連結部が直角に屈曲される。そして、第二連結板部材１４の第二端縁１４２は、第一連結板部材１３の第三端縁１３３に当接され、第二連結板部材１４の第二端縁１４２と第一連結板部材１３の第三端縁１３３とが第一係合部材１６ａにより係脱可能に係合される。
【００５０】
さらにテーブル１０Ａは、第三連結板部材１５により第二板部材１２と第一連結板部材１３とを連結する。この場合、テーブル１０Ａは、第二板部材１２の第二端縁１２２と第三連結板部材１５の第一端縁１５１との連結部が直角に屈曲される。そして、第三連結板部材１５の第二端縁１５２は、第一連結板部材１３の第四端縁１３４に当接され、第三連結板部材１５の第二端縁１５２と第一連結板部材１３の第四端縁１３４とが第二係合部材１６ｂにより係脱可能に係合される。
【００５１】
第一係合部材１６ａによる第二連結板部材１４と第一連結板部材１３との係合の構成は、第二係合部材１６ｂによる第三連結板部材１５と第一連結板部材１３との係合の構成と同一である。以下に、図９に基づいて、第二係合部材１６ｂを用いて係合の構成を説明する。図９に示すように、第二係合部材１６ｂは、Ｌ字状の鉄製の板材で構成されている。第二係合部材１６ｂは、基部１６１が第三連結板部材１５の外面に当接され、複数のネジ部材Ｎにより締結されている。第二係合部材１６ｂは、Ｌ字状の先端係合部１６２が第三連結板部材１５の第二端縁１５２から突出した状態で配置されている。突出する第二係合部材１６ｂは、先端係合部１６２と第三連結板部材１５の第二端縁１５２との間に、第一連結板部材１３の板厚分の間隙が形成されている。
【００５２】
そして、第二係合部材１６ｂは、先端係合部１６２と第三連結板部材１５の第二端縁１５２との間に、第一連結板部材１３の第四端縁１３４を嵌合することで、第一連結板部材１３の第四端縁１３４と第三連結板部材１５の第二端縁１５２とを係合する。さらに、第一連結板部材１３の第四端縁１３４と第二係合部材１６ｂとの係合部において、第一連結板部材１３の第四端縁１３４には、磁石１３７が埋設されており、磁石１３７により第二係合部材１６ｂを吸着させる構成である。
【００５３】
テーブル１０Ａは、使用可能状態で、第一実施形態と同様に、第一テーブル配置状態に配置可能である。図１、図２を参照して、テーブル１０Ａは、マットレス３０の前部右側の角部において、第一板部材１１を、マットレス３０と基台２０との間隙に挿入せしめるとともに、第二連結板部材１４を、マットレス３０の第三側面３３とヘッドボード４０との間隙に挿入せしめ、第一テーブル配置状態に配置可能である。
また、テーブル１０Ａは、使用可能状態で、第一実施形態と同様に、第二テーブル配置状態に配置可能である。図５を参照して、テーブル１０Ａは、マットレス３０の前部左側の角部において、第二板部材１２を、マットレス３０と基台２０との間隙に挿入せしめるとともに、第三連結板部材１５を、マットレス３０の第三側面３３とヘッドボード４０との間隙に挿入せしめ、第二テーブル配置状態に配置可能である。
【００５４】
〈第二実施形態の効果〉
第二実施形態に係るテーブル１０Ａ（図６、図７、図８）は、第一実施形態と同様な作用効果を奏する。
また第二実施形態のテーブル１０Ａにおいては、第一連結板部材１３（図６、図７、図８）は、第一板部材１１（図６、図７、図８）および第二板部材１２（図６、図７、図８）に対して相対的に回動可能に連結されている。そして、第二連結板部材１４は、第一板部材１１に対して相対的に回動可能に連結されている。さらに、第三連結板部材１５は、第二板部材１２に対して相対的に回動可能に連結されている。
これによれば、テーブル１０Ａは、非使用状態で、平坦な状態に展開できるので、容易にベッドＢ１の下の床との隙間に収納することができ、収納性が高いテーブルが実現できる。
【００５５】
第二実施形態に係るテーブル１０Ａの他の構成として、非使用状態で、第一板部材１１（図６）を第一連結板部材１３（図６）の一方の板面に重ね合わせ、第二板部材１２（図６）を第一連結板部材１３（図６）の他方の板面に重ね合わせ、第二連結板部材１４（図６）を第一板部材１１に重ね合わせるとともに、第三連結板部材１５（図６）を第二板部材１２に重ね合わせて収納するようにしてもよい。
【００５６】
この場合、第一板部材１１の第一端縁１１１（図６）と、第一連結板部材１３の第一端縁１３１（図６）との連結部において、第一板部材１１の第一端縁１１１の凸部１１１ａ（図６）は、第一板部材１１の板厚分、直角に屈曲形成する。そして、第一板部材１１の第一端縁１１１は、その凸部１１１ａを第一連結板部材１３の第一端縁１３１の凹部１３１ｂ（図６）に噛合して、ピンＰ１（図６）を、凸部１１１ａと第一連結板部材１３の第一端縁１３１の凸部１３１ａとに一連に貫通せしめて、回動可能に連結する。これにより、第一板部材１１を第一連結板部材１３の一方の板面に容易に重ね合わせることができる。
【００５７】
同様に、第二板部材１２の第一端縁１２１（図６）と、第一連結板部材１３の第二端縁１３２（図６）との連結部において、第二板部材１２の第一端縁１２１の凸部１２１ａ（図６）は、第二板部材１２の板厚分、直角に屈曲形成する。そして、第二板部材１２の第一端縁１２１は、その凸部１２１ａを第一連結板部材１３の第二端縁１３２の凹部１３２ｂ（図６）に噛合して、ピンＰ２（図６）を、凸部１２１ａと第一連結板部材１３の第二端縁１３２の凸部１３２ａ（図６）とに一連に貫通せしめて、回動可能に連結する。これにより、第二板部材１２を第一連結板部材１３の他方の板面に容易に重ね合わせることができる。
【００５８】
第一板部材１１の第二端縁１１２（図６）と第二連結板部材１４の第一端縁１４１（図６）との連結部においても、第一板部材１１の第一端縁１１１と第一連結板部材１３の第一端縁１３１との連結部と同様な連結構成にすることで、第一板部材１１の板面に第二連結板部材１４を容易に重ね合わせることができる。
さらに、第二板部材１２の第二端縁１２２（図６）と第三連結板部材１５の第一端縁１５１（図６）との連結部においても、第一板部材１１の第一端縁１１１と第一連結板部材１３の第一端縁１３１との連結部と同様な連結構成にすることで、第二板部材１２の板面に第三連結板部材１５を容易に重ね合わせることができる。
【００５９】
第二実施形態に係るテーブル１０Ａにおいて、第一連結板部材１３は、第一板部材１１および第二板部材１２と回動可能に連結されているが、これに限るものではない。例えば、第一連結板部材１３は、第二板部材１２とは回動可能に連結されるが、第一板部材１１とは直角に交わる状態で連結される構成でもよい。この場合、第二連結板部材１４および第三連結板部材１５は、第一連結板部材１３と回動可能に連結されることが望ましい。これによれば、第一板部材１１をマットレス３０の下に挿入し、第一連結板部材１３をマットレス３０の側面に当接させ、テーブル１０Ａをマットレス３０の側部に配置した状態（第一テーブル配置状態、図１参照）で、第二板部材１２、第二連結板部材１４、および第三連結板部材１５を重ね合わせて収納できる。
【００６０】
さらに、テーブル１０Ａは、第一連結板部材１３、第二板部材１２、第二連結板部材１４および第三連結板部材１５を平坦な状態とする非使用状態に展開する。この状態で、テーブル１０Ａは、第一板部材１１を支えとして、第一板部材１１を床面などに載置せしめ、平坦な状態の第一連結板部材１３、第二板部材１２、第二連結板部材１４および第三連結板部材１５を部屋の壁面などに立て掛けて収納することができる。立て掛けて収納する際の安定性を良好にできる。
【００６１】
第二実施形態のテーブル１０Ａは、第一実施形態と同様に、第一テーブル配置状態や、第二テーブル配置状態に限らず、ベッドＢ１のマットレス３０の後部右側の角部や、マットレス３０の後部左側の角部に配置することができる。さらに、ベッドＢ１以外に、人を支持する支持面と支持面の下に設けられ弾力を有するとともに複数の側面を有する層とを有する敷物と、敷物を支持する上面を有する基台と、を備えた家具、例えば、椅子やソファなどに適用できる。
【００６２】
第二実施形態のテーブル１０Ａは、第一連結板部材１３と第二連結板部材１４との係合、第一連結板部材１３と第三連結板部材１５との係合に、第一係合部材１６ａ、第二係合部材１６ｂを用いたが、これに限らず、第一連結板部材１３に第二連結板部材１４をねじなどで締結し、第一連結板部材１３に第三連結板部材１５をねじなど締結する構成でもよい。
【符号の説明】
【００６３】
１０，１０Ａ：家具用サイドテーブル、１１：第一板部材、１２：第二板部材、１３：第一連結板部材、１４：第二連結板部材、１５：第三連結板部材、２０：基台、２２：上面、３０：マットレス（敷物）、３１:一の側面（第一側面）、３２：一の側面（第二側面）、３３：他の側面（第三側面）、４０：ヘッドボード（対向壁面）、１３５：第一接触面、１３６：第二接触面、１４３：第三接触面、１５３：第四接触面、３０１：支持面、Ｂ１：ベッド（家具）、Ｃ：連結部分
【図１】
2018057731.tif 000003
【図２】
2018057731.tif 000004
【図３】
2018057731.tif 000005
【図４】
2018057731.tif 000006
【図５】
2018057731.tif 000007
【図６】
2018057731.tif 000008
【図７】
2018057731.tif 000009
【図８】
2018057731.tif 000010
【図９】
2018057731.tif 000011